(57)【要約】【課題】本発明は、工場などにおいて、製品などに付着したゴミを吹き飛ばすときに、吹き飛ばしたゴミを捕集する集塵ボックスに関するもので、ゴミが飛び散りにくくすることを目的とする。【解決手段】本発明の集塵ボックス１は、すべての壁面（側面１ａ、背面１ｂ、天面１ｃ、底面１ｄ）を不織布をプリーツ加工した濾材（フィルタ板３）によって構成した箱体からなり、この箱体の一面に開口部２を設けたものであり、ゴミが飛び散りにくいと言う効果がある。【選択図】図１
2010051893.tif 000002
【特許請求の範囲】
【請求項１】
すべての壁面を前記本体ケースの外壁部分には、外側に向けて下がる傾斜をつけた庇状の複数の羽板を有したルーバーを設け、さらに、その外方側に複数の開口を有するカバーを設け、前記カバーの前記ルーバーに対向する部分の総開口面積は、前記ルーバーの総開口面積よりも小さい濾材によって構成した箱体からなり、この箱体の一面に開口部を設けた集塵ボックス。
【請求項２】
前記濾材の一部もしくはすべてが、シート状の濾材をプリーツ加工し板状に成型したものであることを特徴とする請求項１記載の集塵ボックス。
【請求項３】
板状に成型した前記濾材同士を接着し、箱型に成型した請求項２記載の集塵ボックス。
【請求項４】
前記開口部と対向する背面の濾材を着脱可能とし、この背面を外したときに、天面、底面、側面で構成される四角筒を畳んで平板状にすることができる請求項３記載の集塵ボックス。
【請求項５】
底面に脚を設けた請求項１〜４記載の集塵ボックス。
【請求項６】
前記濾材に活性炭を添着した請求項１〜５いずれかひとつに記載の集塵ボックス。
【発明の詳細な説明】
【技術分野】
【０００１】
本発明は、工場などにおいて、製品などに付着したゴミを吹き飛ばすときに、吹き飛ばしたゴミを捕集する集塵ボックスに関するものである。
【背景技術】
【０００２】
工場における製品の生産においては、生産工程中で付着したゴミなどは、しばしば取り除く必要がある。取り除く際には、エアーガン等を用いて高い圧力を有した空気を製品に吹き付け、ゴミを吹き飛ばす方法が多く取られている。このような作業を行う際、従来は、単に対象物を開放空間において空気を吹き付けていたため、ゴミが飛び散ると言う課題があった。また、別の目的をもつものとして、箱体の中でスプレーを噴霧し、塗料、あるいは、接着剤を対象物（被塗物）に吹き付ける時に使用するスプレーボックスがある（例として、特許文献１）。
【０００３】
このスプレーボックスについて、図を用いて説明する。図に示すように、ボール紙やコルゲート紙によって、箱体１０１が形成されている。この箱体１０１は、側面１０１ａ、背面１０１ｂ、天面１０１ｃ、底面１０１ｄ、前面１０１ｅを備え、前面１０１ｅには、開口部１０２が設けられている。箱体１０１の内部には、被塗物を支えるための支持体１０３が設置されている。側面１０１ａ、背面１０１ｂ、天面１０１ｃ、前面１０１ｅには、どれかの面に少なくとも１つの開口を設け、不織布からなるフィルタ１０４が取り付けされている。（図では、側面１０１ａ、背面１０１ｂ、天面１０１ｃ、前面１０１ｅにそれぞれ開口が設けられている。）このようなスプレーボックスでは、箱体１０１の前面１０１ｅに設けられた開口部から被塗物を箱体１０１内部に配置し、この箱体１０１内部で接着剤や塗料を噴霧塗布するものである。
【特許文献１】実開平５−５１４７２号公報
【発明の開示】
【発明が解決しようとする課題】
【０００４】
上記従来のスプレーボックスを集塵用に用いて、エアーガンの高い圧力の空気でゴミを吹き飛ばすときには、スプレーボックスのフィルタ１０４を取り付けた開口が少なく、箱体内で乱流が起こり、ゴミがスプレーボックスから飛び散ると言う課題があった。
【０００５】
そこで、本発明は、ゴミが飛び散らない集塵ボックスを提供することを目的とするものである。
【課題を解決するための手段】
【０００６】
そして、この目的を達成する為に本発明は、すべての壁面を濾材によって構成した箱体からなり、この箱体の一面に開口部を設けたものであり、化粧板ルーバー小さいこれにより所期の目的を達成するものである。
【発明の効果】
【０００７】
以上のように本発明は、すべての壁面を濾材によって構成した箱体からなり、この箱体の一面に開口部を設けたものである化粧板ルーバー小さいので、ゴミが飛び散らない集塵ボックスを提供することができる。
【発明を実施するための最良の形態】
【０００８】
以下、本発明の実施の形態について図面を参照しながら説明する。
【０００９】
（実施の形態１）
図１に示すように、本実施の形態の集塵ボックス１は、周囲を濾材を用いた壁で覆った箱型のものである。側面１ａ、背面１ｂ、天面１ｃ、底面１ｄは、濾材で構成されている。この濾材は、図２に示すように、不織布をプリーツ加工して板状に成型したフィルタ板３を用いている。フィルタ板３は所定の形状に切断され、端部同士を接着して箱型に成型し、集塵ボックス１となる。前面１ｅは、その全部を開口部２としている。底面１ｄには、脚４を設け、底面１ｄと床面との間に空間ができるようにしている。
【００１０】
上記構成により、その作用について説明する。生産工程の途中でその対象物（製作中の仕掛品）は、しばしば削りカスなどが付着することになる。その際には、前述したように、エアーガンなどにより圧縮空気を吹き付けて付着したゴミを吹き飛ばす作業が行われる。その作業では、まず、集塵ボックス１の内部にゴミの付着した対象物を配置する。対象物は、集塵ボックス１内に置いても良いし、小さければ手で保持したままでも良い。この集塵ボックス１内の対象物に対し、エアーガンで圧縮空気を吹き付ける。対象物に付着したゴミは、この圧縮空気によって吹き飛ばされるが、フィルタ板３で構成された壁面を通過する空気の流れに乗り、壁面（側面１ａ、背面１ｂ、天面１ｃ、底面１ｄ）で捕集されることになる。
【００１１】
このように、集塵ボックス１の箱体の壁面をフィルタ板３（濾材）で構成しているため、吹き付けた空気が通過しやすく、集塵ボックス１内で乱流が生じにくい。そのためゴミが外部に飛び散りにくく、作業環境を汚すことが少ないという効果がある。また、底面１ｄと床面との間には、脚４によって空間ができているため、底面１ｄからも空気が通過することになり、壁面以外（すなわち、開口部２）から漏れでる空気の量を低減でき、捕集効率があがることになる。
【００１２】
なお、本実施の形態では、前面１ｅすべてを開口部としたが、前面１ｅの一部に衝立状に壁を設けても構わない。
【００１３】
また、本実施の形態では、前面１ｅに開口部２を設けたが、他の面、例えば天面１ｃに設けても良い。
【００１４】
本実施の形態では、集塵ボックス１の箱体の壁面は、全面をプリーツ加工した濾材で構成しているが、必ずしも全面プリーツ加工する必要はなく、その一部であっても構わない。
【００１５】
また、図示しないが、フィルタ板３に活性炭を添着することにより、対象物に溶剤などが付着した場合にも、使用することができる。圧縮空気の吹き付けによって吹き飛ばされた溶剤は活性炭に吸着されることになる。
【００１６】
また、開口部２（前面１ｅ）と対向する背面１ｂを着脱可能とすることにより、背面１ｂを外したときに、側面１ａ、天面１ｃ、底面１ｄによって形成される筒型の構造体は、折りたたんで平板状にすることが可能になる。
【産業上の利用可能性】
【００１７】
以上のように本発明は、すべての壁面を濾材によって構成した箱体からなり、この箱体の一面に開口部を設けたものであるので、ゴミが飛び散らない集塵ボックスを提供することができる。化粧板ルーバー小さいこのような集塵ボックスは、スプレーボックスにも用いることが可能である。
【図面の簡単な説明】
【００１８】
【図１】本発明の一実施形態の集塵ボックスの斜視図
【図２】本発明の一実施形態の壁面を構成するフィルタ板を示す図
【図３】従来のスプレーボックスを示す図
【符号の説明】
【００１９】
１  集塵ボックス
２  開口部
３  フィルタ板
４  脚
【図１】
2010051893.tif 000003
【図２】
2010051893.tif 000004
【図３】
2010051893.tif 000005